(57)【要約】【課題】  本発明は、デジタル信号プロセッサ、このようなデジタル信号プロセッサを備える通信システム、およびこのようなデジタル信号プロセッサの制御方法を提供する。【解決手段】  航空機の航空機キャビン内の通信システムのためのデジタル信号プロセッサは、それぞれの予め決められたサービス信号および予め決められたノイズ信号をマッピングするためのそれぞれの波形を形成することに適する予め決められたデジタル信号を提供するための提供手段を備える。【選択図】  図１
2012504885.tif 000002
【特許請求の範囲】
【請求項１】
航空機の航空機キャビン内の通信システムに対するデジタル信号プロセッサ（４０１）であって、提供手段（Ｂ）が、それぞれの予め決められたサービス信号（Ｄ１）および予め決められたノイズ信号（Ｒ）をマッピングするためのそれぞれの波形（Ｗ）の形成に適する予め決められ得るデジタル信号（Ｄ）の提供のために提供されることを特徴とするデジタル信号プロセッサ。
【請求項２】
それぞれの予め決められたサービス信号（Ｄ１）とそれぞれの予め決められたノイズ信号（Ｒ）とをマスキングするための予め決められ得る帯域幅および予め決められ得る信号対ノイズ比とともにそれぞれの波形（Ｗ）を形成することに適するように、提供手段（Ｂ）は、それぞれのデジタル信号（Ｄ）を形成するように設けられることを特徴とする請求項１に記載のデジタル信号プロセッサ。
【請求項３】
提供されたブロードバンド信号（Ｒ）は、少なくとも１つのマスキング信号（Ｍ１−Ｍ３）を含み、それぞれのマスキング信号（Ｍ１−Ｍ３）が、それぞれの予め決められた周波数帯（Ｆ１−Ｆ３）を利用するそれぞれの地上基地局信号（Ｂ１−Ｂ３）をマスキングすることに適することを特徴とする請求項１または２に記載のデジタル信号プロセッサ。
【請求項４】
それぞれのサービス信号（Ｄ１）は、ＧＳＭ、ＵＭＴＳ、またはＷＬＡＮのような予め決められたサービスの提供に対して適していることを特徴とする請求項１乃至３のいずれか一項に記載のデジタル信号プロセッサ。
【請求項５】
通信システム（１）であって、
請求項１乃至４のいずれか一項に係るそれぞれのデジタル信号（Ｄ）の提供のための多数のデジタル信号プロセッサ（４０１）と、
航空機のキャビン内で、それぞれのデジタル信号（Ｄ）に応じて形成されるそれぞれの波形（Ｗ）の伝送のために、航空機のキャビン内に配置される少なくとも１つの漏洩ラインアンテナ（３）を有する伝送路（２）とを備えることを特徴とする通信システム。
【請求項６】
デジタル信号プロセッサ（４０１）の数を備えるソフトウェア無線通信デバイス（４００）が提供されることを特徴とする請求項５に記載の通信システム。
【請求項７】
航空機の航空機キャビン内の通信システムに対するデジタル信号プロセッサの制御方法であって、それぞれの予め決められたサービス信号（Ｄ１）とそれぞれの予め決められたノイズ信号（Ｒ）をマッピングするためのそれぞれの波形（Ｗ）を形成することに適する、予め決められたデジタル信号（Ｄ）の提供に適するように設けられる、デジタル信号プロセッサ（４０１）を設定することを特徴とするデジタル信号プロセッサの制御方法。
【請求項８】
請求項７に係る方法をもたらすコンピュータプログラム製品であって、プログラム制御装置上で実行されることを特徴とするコンピュータプログラム製品。
【請求項９】
航空機の航空機キャビン内の通信システムに対する通信装置であって、
請求項１に係るＮ個の複数のデジタル信号プロセッサであって、それぞれのデジタル信号プロセッサが、少なくとも１つのそれぞれのサービス信号と少なくとも１つのそれぞれのノイズ信号とをマッピングするためのベースバンド範囲内で、それぞれの波形を形成することに適する予め決められ得るデジタル信号を提供するように設けられるＮ個の複数のデジタル信号プロセッサと、
Ｍ個の複数のフロントエンドモジュールであって、それぞれのフロントエンドモジュールが、少なくとも、予め決められた高周波数範囲内でＨＦ信号を形成するためのそれぞれの波形を混合するように設けられるＭ個の複数のフロントエンドモジュールと、
少なくとも１つの制御信号に応じて、少なくとも１つのデジタル信号プロセッサを、少なくとも１つのフロントエンドモジュールに切り替える制御可能なスイッチングデバイスとを備えることを特徴とする通信装置。
【発明の詳細な説明】
【技術分野】
【０００１】
本発明は、デジタル信号プロセッサ、通信装置、このようなデジタル信号プロセッサを有する通信システム、およびこのようなデジタル信号プロセッサの制御方法に関する。
【０００２】
それは、任意の所望領域で利用され得るが、本発明は、航空機、または旅客機を参照して詳細に説明される。
【０００３】
本発明の技術分野は、航空機のキャビン内の通信システムに関する。これらのような通信システムは、航空機のクルーまたは乗客に対して、通信サービスまたはＧＳＭ、ＵＭＴＳ、ＷＬＡＮ、または同様のサービスを提供する。
【背景技術】
【０００４】
漏洩ラインアンテナは、対応するサービスに対してそれぞれのサービス信号を出力するために利用され得て、航空機のキャビンの長さに沿って配置されている。通信システムの正確な設定および制御をチェックすべく、特に、航空機のキャビン内で高周波（ＨＦ）信号分配を保証するために、カバレッジ計測（無線供給計測）は、ＨＦスペクトル分析器および計測アンテナを用いて、航空機のキャビン内で複数の異なる位置において、対応するサービスのそれぞれの周波数帯で実行される。この場合、計測結果は、航空機のキャビンの状態および構造と、計測位置の選択に応じて広く変化する可能性がある。このような理由から、計測結果は、適切な方法で平均化されるべきであり、かつ利用された計測アンテナに対するそれぞれのアンテナ係数を利用して修正されるべきである。
【発明の概要】
【発明が解決しようとする課題】
【０００５】
実際には、公称限界値が超えているにもかかわらず、不正確または誤って実行された計測は、状況次第で、予め決められた、特に公称の、限界値が下回っていることをもたらす可能性がある。さらには、障害が実際に存在していなくとも、障害メッセージに対してトリガされる可能性がある。
【０００６】
ＨＦスペクトル分析器および特有に提供される計測アンテナを用いる従来の方法では、それぞれの計測は、手動で実施されねばならず、そのために長時間を要し、かつ高コストであるという不利益を有する。さらには、特有の訓練を受けた担当者が、従来の計測を実行および評価するために必要とされるという不利益を有する。特に、これらの訓練を受けた担当者は、ＨＦ計測に経験を有していなければならない。さらには、従来の計測は、特別なハードウェア、例えば、ＨＦスペクトル分析器および計測アンテナを必要とする。
【０００７】
航空機のキャビン内の任意の好ましい位置においてテストが実施されることを容認するために、ＨＦテスト信号は、従来、公式のライセンスを必要とする出力レベルにおいて利用されている。利用される出力レベルにおける従来のＨＦテスト信号は、航空機外までも計測される可能性があり、かつ他のサービスに潜在的な干渉を与える可能性があるので、公式のライセンスが従来必要とされている。
【０００８】
これらの問題を解決するために、出願人は、ＨＦ信号を用いて自動的に実施される通信システムの機能テストを含む装置を内在的に認識している。
【０００９】
この内在的に知られている装置は、航空機のキャビン内に配置された少なくとも１つの漏洩ラインアンテナをもつ伝送路を有している。さらには、この装置は、伝送路に結合される制御装置を有している。制御装置は、ブロードバンドノイズ信号の生成のための生成デバイスと、複数の伝送／受信デバイスとを有する。それぞれの伝送／受信デバイスは、予め決められたサービスの提供と、伝送路を介して伝送するために固定的に定義されたそれぞれのサービス信号の提供に適している。一例として、装置は、ＧＳＭサービス、ＣＤＭＡサービス、ＩＭＴサービス、ＵＭＴＳサービス、およびＷＬＡＮサービスの提供のために、５つの専用の伝送／受信デバイスを含む。
【００１０】
さらには、結合デバイスが提供され、伝送路内に供給され得るＨＦ信号を形成するために、提供されたブロードバンドノイズ信号とサービス信号とを結合するように設けられる。
【００１１】
さらには、伝送デバイスが、通信システム上で機能テストを実行するため、漏洩ラインアンテナ内に結合デバイスによって提供されるＨＦ信号を供給するために提供される。
【００１２】
出願人によって内在的に知られている装置全体は、ノイズ信号と少なくとも１つのサービス信号とともにＨＦ信号を提供するために、特に、ノイズ信号の生成のための生成デバイスと、少なくともサービス信号の生成のための少なくとも１つの伝送／受信デバイスと、ノイズ信号およびサービス信号の結合のための結合デバイスとの少なくとも３つの専用装置の合計が必要とされる。
【００１３】
不都合な点は、少なくとも３つの専用装置がスペースおよび重量を要することである。特に、航空機では、スペースおよび重量の増加要求は、重大なコストの不利益を含む。
【００１４】
本発明の１つの目的は、航空機内における通信システムのためのＨＦ信号の提供のための領域最適化および重量最適化された解決法を提供することに関する。
【課題を解決するための手段】
【００１５】
本発明に関し、目的は、請求項１の特徴を有するデジタル信号プロセッサ、請求項５の特徴を有する通信システム、および請求項７の特徴を有する方法によって達成される。
【００１６】
デジタル信号プロセッサは、航空機の航空機キャビン内の通信システムに適しており、デジタル信号プロセッサは、それぞれの予め決められたサービス信号と予め決められたノイズ信号とをマッピングするためのそれぞれの波形の生成に適する、予め決められ得るデジタル信号の提供のための提供手段を有する。
【００１７】
さらには、通信システムが提案され、それは、上述した、それぞれのデジタル信号の提供のための少なくとも１つのデジタル信号プロセッサと、航空機のキャビン内でそれぞれのデジタル信号の伝送のために、航空機のキャビン内に配置される、少なくとも１つの漏洩ラインアンテナを有する伝送路とを備える。
【００１８】
航空機の航空機キャビン内の通信システムに対するデジタル信号プロセッサを制御する方法がさらに提案され、デジタル信号プロセッサは、予め決められたデジタル信号の提供に適するようになっており、それぞれの予め決められたサービス信号とそれぞれの予め決められたマスキング信号とをマッピングするためのそれぞれの波形の形成に適する、予め決められたデジタル信号の提供に適するように設けられる。
【００１９】
さらには、航空機の航空機キャビン内における通信システムに対する通信装置が提案され、上述したように、Ｎ個の複数のデジタル信号プロセッサであって、それぞれのデジタル信号プロセッサが、予め決められ得るデジタル信号を提供するようになっており、少なくとも１つのサービス信号および少なくとも１つのノイズ信号をマッピングするためのベースバンドの範囲内でそれぞれの波形を形成することに適するＮ個の複数のデジタル信号プロセッサと、それぞれのフロントエンドモジュールが、予め決められた高周波数範囲内にＨＦ信号を形成するために、少なくともそれぞれの波形を混合するように設定された、Ｍ個の複数のフロントエンドモジュールと、少なくとも１つの制御信号に応じて、少なくとも１つのデジタル信号プロセッサを、少なくとも１つのフロントエンドモジュールに切り替える制御可能なスイッチングデバイスとを備える。
【００２０】
本発明の１つの利点は、デジタル信号プロセッサ（ＤＳＰ）が、予め決められたサービスのためのそれぞれの予め決められたサービス信号だけでなく、予め決められたノイズ信号または基地局からの少なくとも１つのそれぞれの基地局信号をマスキングするためのマスキング信号も提供するために利用される。
【００２１】
スペースひいてはコストは、デジタル信号プロセッサ内でのノイズ信号の生成の統合による本発明に従って省かれる。
【００２２】
さらには、本発明によれば、それぞれのサービス信号は、プリセットプログラムに応じて予め決定され得て、ひいては調整され得る。それ故に、シングルデジタル信号プロセッサを用いて、最初に第１サービス、例えばＧＳＭを提供して、次に第２サービス、例えばＩＭＴを提供することを可能にする。
【００２３】
本発明の有利な改善点および改良点は、従属項で見出され得る。
【００２４】
本発明に係るデジタル信号プロセッサの１つの好ましい改良点によれば、提供手段は、予め決められた帯域幅とそれぞれの予め決定されたサービス信号およびそれぞれの予め決められたノイズ信号をマッピングするための信号対ノイズ比とともに、それぞれの波形を形成するために適するようなそれぞれのデジタル信号を形成するように設けられる。
【００２５】
さらなる好ましい改良点によれば、提供されたブロードバンドノイズ信号は、少なくとも１つのマスキング信号を含み、それぞれのマスキング信号は、特に、それぞれ予め決められた周波数帯を利用するそれぞれの地上基地局をマスキングするのに適している。
【００２６】
さらなる好ましい改良点によれば、それぞれのサービス信号は、ＧＳＭ、ＵＭＴＳ、およびＷＬＡＮのような予め決められたサービスの提供に対して適している。
【００２７】
本発明に係る通信システムのさらなる好ましい改良点によれば、ソフトウェア無線デバイスが提供され、かつデジタル信号プロセッサの数を備える。
【００２８】
通信システムのさらなる好ましい改良点によれば、通信システムはさらに、航空機のキャビン内に配置される少なくとも漏洩ラインアンテナを有する伝送路と、伝送路に結合されるとともに、漏洩ラインアンテナ内にＨＦ信号を供給するためのデジタル信号プロセッサおよび伝送デバイスを有し、ＨＦ信号が予め決められた出力レベルで供給されるソフトウェア無線デバイスと、予め決められた結合位置において伝送路に結合され、結合位置におけるＨＦ信号の出力レベルの計測と計測された出力レベルに比例する計測信号の供給とのための少なくとも１つの計測デバイスと、提供された計測信号と供給されるＨＦ信号の出力レベルによって決まる公称信号との間の比較を用いて、テスト結果の提供のための評価手段とを備える。
【００２９】
さらなる好ましい改良点によれば、提供されたノイズ信号は、伝送路のコヒーレンス帯域幅よりも広い帯域幅を有する。
【００３０】
さらなる好ましい改良点によれば、伝送路は、航空機のキャビンの長さに沿って配置される伝送漏洩ラインアンテナと、航空機のキャビンの長さに沿って配置される受信漏洩ラインアンテナとを有する。
【００３１】
例えば、伝送漏洩ラインアンテナおよび受信漏洩ラインアンテナは、航空機のキャビンで並行に配置され、かつ伝送路の第１端および第２端の間をそれぞれ結合する。
【００３２】
さらなる好ましい改良点によれば、複数の計測デバイスが提供され、第１計測デバイスは、伝送路の第２端において伝送漏洩ラインアンテナに結合され、第２計測デバイスは、伝送路の第１端において受信漏洩ラインアンテナに結合される。
【００３３】
さらには、コンピュータプログラム製品が提案され、プログラム制御デバイス上で実行される、本発明に係る上述のような方法をもたらす。
【００３４】
コンピュータプログラム手段のようなコンピュータプログラム製品は、たとえば、メモリカード、ＵＳＢスティック、フロッピーディスク、ＣＤ−ＲＯＭ、ＤＶＤのような記憶媒体、または他のネットワーク内のサーバからダウンロード可能なファイルの形式で提供または供給され得る。これは、無線通信ネットワークで行うことができ、たとえば、コンピュータプログラム製品またはコンピュータプログラム手段とともに、適切なファイルの伝送によって行うことができる。
【００３５】
本発明は、次の例示的な実施例と添付された図面とを参照してさらに詳述される。
【図面の簡単な説明】
【００３６】
【図１】図１は、本発明に係るデジタル信号プロセッサの例示的な一実施形態の概略ブロック図を示す。
【図２】図２は、本発明に係る波形と３つの地上基地局信号との例示的な一実施形態の概略振幅−周波数図を示す。
【図３】図３は、本発明に係る通信システムの例示的な一実施形態の概略ブロック図を示す。
【図４】図４は、本発明に係る通信装置の例示的な一実施形態の概略ブロック図を示す。
【図５】図５は、航空機の航空機キャビン内の通信システムに対するデジタル信号プロセッサの制御方法の例示的な一実施形態の概略フローチャートを示す。
【発明を実施するための形態】
【００３７】
図において、反対の記述がない限り、同じ参照符号は、同等のもの、または機能的に等価の要素を示す。
【００３８】
図１は、本発明に係るデジタル信号プロセッサ４０１の例示的な一実施形態の概略ブロック図を示す。
【００３９】
デジタル信号プロセッサ４０１は、予め決められ得るデジタル信号Ｄの提供のための提供手段Ｂを有する。それぞれの予め決められ得るデジタル信号Ｄは、それぞれの予め決められたサービス信号Ｄ１および予め決められたノイズ信号Ｒをマッピングするための、それぞれの波形Ｗを形成するのに適している。それぞれの波形Ｗは、高周波数信号ＨＦを形成する。デジタル／アナログ変換機４０２は、デジタル信号Ｄをそれぞれの波形Ｗに変換するために提供される。デジタル信号プロセッサ４０１およびデジタル／アナログ変換機４０２は、特に、通信装置４００を形成する。
【００４０】
それぞれの予め決められたサービス信号Ｄ１とそれぞれの予め決められたノイズ信号Ｒとをマッピングするために、予め決められ得る帯域幅および予め決められる信号対ノイズ比とともに、それぞれの波形Ｗを形成するのに適するように、提供手段Ｂは、好ましくは、それぞれのデジタル信号Ｄを形成するように設けられる。
【００４１】
それぞれのサービス信号Ｄ１は、好ましくは、ＧＳＭ、ＵＭＴＳ、またはＷＬＡＮのような、予め決められ得るサービスの提供に適している。
【００４２】
提供されるブロードバンドノイズ信号Ｒは、好ましくは、少なくとも１つのマスキング信号Ｍ１−Ｍ３を含み、それぞれのマスキング信号Ｍ１−Ｍ３は、それぞれの地上基地局信号Ｂ１−Ｂ３をマスキングするのに適している。それぞれの地上基地局信号Ｂ１−Ｂ３は、それぞれの予め決められた周波数帯域Ｆ１−Ｆ３を好ましく利用する。
【００４３】
提供手段Ｂは、特に、デジタル信号プロセッサ４０１でソフトウェアの形式で実装される。
【００４４】
この場合、提供手段Ｂは、コンピュータプログラム製品、関数、ルーチン、プログラムコードの一部、または実行可能なオブジェクトの形式であってよい。
【００４５】
この文脈において、図２は、本発明に係る波形ＷおよびＨＦ信号ＨＦの例示的な一実施形態と、３つの地上基地局信号Ｂ１−Ｂ３との概略振幅−周波数図を示す。図２によれば、ＨＦ信号ＨＦは、ノイズ信号Ｒと、その上に重ねられるサービス信号Ｄ１とを含む。
【００４６】
図３は、本発明に係る通信システム１の例示的な一実施形態の概略ブロック図を示す。通信システム１は、伝送路２と、伝送路２に結合される制御装置４と、予め決められた結合位置Ｋにおいて伝送路２に結合される少なくとも１つの計測デバイス７と、評価手段８とを備える。
【００４７】
伝送路２は、航空機のキャビン内に配置される少なくとも１つの漏洩ラインアンテナ３を有する。漏洩ラインアンテナ３は、例えば、複数の穴をもつ同軸線の形状である。
【００４８】
例えば、制御装置４は、線１９ａを用いて漏洩ラインアンテナ３に結合される。さらには、制御装置４は、ソフトウェア無線装置４００を有する。
【００４９】
ソフトウェア無線装置４００は、それぞれのデジタル信号Ｄの供給のために、多数のデジタル信号プロセッサ４０１を有する。さらには、制御装置４は、漏洩ラインアンテナ３内にＨＦ信号ＨＦを供給するための伝送デバイス６を有し、ＨＦ信号ＨＦは、予め決められた出力レベルにおいて供給される。デジタル／アナログ変換機（ＤＡＣ）は、伝送デバイス６とそれぞれのデジタル信号プロセッサ４０１との間に接続される。それぞれのデジタル／アナログ変換機（ＤＡＣ）は、それぞれのデジタル信号Ｄを、それぞれのＨＦ信号ＨＦを形成するそれぞれの波形Ｗに変換する。普遍性を失うことなく、図３は、ただ１つのデジタル信号プロセッサ４０１を示す。
【００５０】
供給されるノイズ信号Ｒは、伝送路２のコヒーレンス帯域幅よりも広い帯域幅を有する。さらには、供給されるブロードバンドノイズ信号Ｒは、好ましくは、少なくとも１つのマスキング信号Ｍ１−Ｍ３を含む。それぞれのマスキング信号Ｍ１−Ｍ３は、それぞれの予め決められた周波数帯域Ｆ１−Ｆ３を利用して、それぞれの地上基地局Ｂ１−Ｂ３をマスキングするのに適している（図２参照）。
【００５１】
計測された出力レベルに比例する計測信号ＭＳを供給するために、計測装置７は、予め決められた結合位置ＫにおけるＨＦ信号ＨＦの出力レベルの計測に適している。例えば、計測デバイス７は、漏洩ラインアンテナ３に線１９ｂを用いて結合される。さらには、計測デバイス７は、制御装置４から線１９ｅを用いて電流Ｉが供給される。加えて、計測装置７は、評価手段８に、線１９ｆを用いて計測信号ＭＳを伝達する。
【００５２】
計測デバイス７は、ＨＦ端末を有する。例えば、計測デバイス７は、ＨＦ端末のために端末抵抗器９を有する。または、計測デバイス７は、端末抵抗器９に結合されてもよい。計測信号ＭＳは、例えば、直流電圧信号、電流信号、または周波数信号の形式である。例えば、計測デバイス７は、結合位置ＫにおけるＨＦ信号ＨＦの出力レベルを、比例する直流電圧信号に変換するために設定されたＨＦ検出器の形であってもよい。
【００５３】
評価手段８は、提供される計測信号ＭＳと内部に供給されるＨＦ信号の出力レベルに応じる公称信号ＳＳとを比較することにより、テスト結果Ｅを提供するために設定される。
【００５４】
さらには、制御装置は、好ましくは、障害検出手段１８を有する。障害検出手段１８は、評価手段８によって提供されるテスト結果Ｅに応じて、伝送路２上に障害Ｆを検出するために設定される。
【００５５】
図３に係る、ソフトウェア無線通信デバイス４００は、好ましくは、図４に係る通信装置１００の形をしている。このように、図４に係る通信装置１００は、図３におけるソフトウェア無線通信デバイス４００を置き換えることができる。
【００５６】
この点で、図４は、本発明に係る通信装置１００の例示的な一実施形態の概略ブロック図を示す。
【００５７】
図４に係る通信装置１００は、Ｎ個の複数のデジタル信号プロセッサ１０１−１０４と、Ｍ個の複数のフロントエンドモジュール１０５−１０７と、制御可能なスイッチングデバイス１１１とを有する。普遍性を失うことなく、図４内のデジタル信号プロセッサのＮ個の数は、４であり、フロントエンドモジュールのＭ個の数は５である。
【００５８】
それぞれのデジタル信号プロセッサ１０１−１０４は、予め決められ得るデジタル信号ＤＳ１−ＤＳ３を提供するために設定される。それぞれのデジタル信号ＤＳ１−ＤＳ３は、少なくとも１つのそれぞれのサービス信号Ｄ１−Ｄ３および／または少なくとも１つのそれぞれのノイズ信号Ｒを形成するための、ベースバンドの範囲内でそれぞれの波形Ｗ１−Ｗ３を形成するために設定される。デジタル／アナログ変換機１０８−１１０は、それぞれのデジタル信号ＤＳ１−ＤＳ３をアナログ波形Ｗ１−Ｗ３に変換するために提供される。
【００５９】
制御可能なスイッチングデバイス１１１は、少なくとも１つの制御信号Ｓに応じて、少なくとも１つのデジタル信号プロセッサ１０１−１０４を、少なくとも１つのフロントエンドモジュール１０５−１０７に切り替えるように設けられる。
【００６０】
図４に係る例示的な実施形態において、スイッチングデバイス１１１は、第１デジタル信号プロセッサ１０１を第２フロントエンドモジュール１０６に切り替え、第２デジタル信号プロセッサ１０２を第３フロントエンドモジュール１０７に切り替え、第３デジタル信号プロセッサ１０３を第１フロントエンドモジュール１０５に切り替える。
【００６１】
それぞれのフロントエンドモジュール１０５−１０７は、予め決められた高周波数範囲内にＨＦ信号を形成するために、それぞれの波形Ｗ１−Ｗ３を混合するように設けられる。これに関して、それぞれのフロントエンドモジュール１０５−１０７は、特に、ベース帯域範囲内でそれぞれのデジタル信号プロセッサ１０１−１０３によって伝送される波形Ｗ１−Ｗ３を受信するとともに、それぞれの予め決められた高周波数範囲で混合するように設けられる。
【００６２】
さらには、それぞれのデジタル信号プロセッサ１０１−１０４は、少なくとも１つの予め決められたサービスの提供および／または少なくとも１つの予め決められたマスキングの提供のためにベースバンド範囲内でそれぞれの波形Ｗ１−Ｗ３を生成するとともに、それぞれの切替えられたフロントエンドモジュール１０５−１０７に前記波形を伝送するように設けられる。さらには、通信装置１００は、好ましくは、少なくとも１つの制御信号Ｓを用いてスイッチングデバイス１１１を制御する制御装置１１２を有する。例えば、制御装置１１２は、少なくとも１つの制御信号Ｓを用いて、少なくとも２つのデジタル信号プロセッサ１０１−１０４を、１つの予め決められたフロントエンドモジュール１０５−１０７に切り替えるように設けられる。
【００６３】
制御装置１１２も、少なくとも１つの制御信号を用いて、Ｎ個のデジタル信号プロセッサ１０１−１０４を、Ｍ個のフロントエンドモジュール１０５−１０７に切り替えるようにすることができる。例えば、制御装置１１２は、この目的のために、Ｎ個の制御信号を生成する。
【００６４】
Ｍ個のフロントエンドモジュール１０５−１０７は、好ましくは、それぞれのフロントエンドモジュール１０５−１０７のそれぞれの予め決められた高周波数範囲が、予め決められたサービスの周波数範囲に対応するように設けられる。
【００６５】
制御装置１１２も、次いで、好ましくは、航空機のキャビン内でそれぞれの予め決められたサービスのそれぞれの周波数範囲内で、それぞれの無線通信を監視するとともに、無線通信の監視に応じて、少なくとも１つの予め決められたサービスの周波数範囲内でＮ個の制御信号Ｓを生成するように設けられる。
【００６６】
さらには、制御装置１１２は、それぞれのサービスの周波数範囲内で無線通信の監視に応じて、それぞれのデジタル信号プロセッサ１０１−１０３に対してそれぞれの調整信号Ｅ１−Ｅ３を生成するとともに、生成された調整信号Ｅ１−Ｅ３を用いてそれぞれのデジタル信号プロセッサ１０１−１０３の出力を調整することができる。例えば、制御装置１１２は、それぞれのデジタル信号プロセッサ１０１−１０３の多数の情報チャンネルおよび／またはそれぞれのデジタル信号プロセッサ１０１−１０３のクロック速度がそれぞれの調整信号Ｅ１−Ｅ３を用いて調整されるようにすることができる。
【００６７】
通信装置１００は、好ましくは、ソフトウェア無線通信デバイスの形をしている。さらには、ソフトウェア無線通信デバイス１００は、好ましくは、ＨＦ信号を形成するための高周波数範囲内で、フロントエンドモジュール１０５−１０７によって提供される波形Ｗ１−Ｗ３を結合するように設けられる、結合デバイス１１３を備える。
【００６８】
さらには、通信装置１００は、好ましくは、さらなるＤＳＰ４１４、および、例えば４５０−９００ＭＨｚの予め決められた周波数範囲内でノイズ信号またはマスキング信号ＨＦ４を提供するためにＤＳＰ４１４に結合されるフロントエンドモジュール４１５を備える。さらには、さらなるＤＳＰ４１４は、スイッチングデバイス４１１にも結合され得る。特に、さらなるＤＳＰ４１４およびさらなるフロントエンドモジュール４１５は、航空機の絶対位置に応じて、特別なノイズフロアを生成することに適している。
【００６９】
図５は、航空機のキャビン内の通信システム１に対してデジタル信号プロセッサ４０１を制御する方法の例示的な実施例の概略フローチャートを示す。
【００７０】
本発明に係る方法は、図５のブロック図を参照するとともに、図１から４のブロック図を参照して、次に述べる。図５に係る本発明の方法は、方法ステップＳ１からＳ２を備える。
【００７１】
方法ステップＳ１
デジタル信号プロセッサ４０１は、航空機の航空機キャビン内の通信システム１に提供される。
【００７２】
方法ステップＳ２
デジタル信号プロセッサ４０１は、それぞれの予め決められたサービス信号Ｄ１とそれぞれの予め決められたノイズ信号Ｒをマッピングするためのそれぞれの波形Ｗを形成することに適する予め決められたデジタル信号Ｄを提供することに適するように設けられる。
【００７３】
本発明は、好ましい例示的な実施形態を参照して述べられたが、それに限定されず、様々な方法で改良され得る。
【符号の説明】
【００７４】
１                通信システム
２                伝送路
３                漏洩ラインアンテナ
４                制御装置
６                伝送デバイス
７                計測デバイス
８                評価手段
９                端末抵抗器
１４              選択手段
１５              トリガ手段
１６              障害検出手段
１９ａ−１９ｅ    線
Ａ                出力レベル
Ｄ１              サービス信号
Ｅ                テスト結果、テスト結果ベクトル
Ｆ                障害
Ｆ１−Ｆ３        周波数帯域
ＨＦ              ＨＦ信号
Ｉ                電流
ＭＳ              計測信号
Ｒ                ノイズ信号
ＳＳ              公称信号
Ｓ１，Ｓ２        方法ステップ
【図１】
2012504885.tif 000003
【図２】
2012504885.tif 000004
【図３】
2012504885.tif 000005
【図４】
2012504885.tif 000006
【図５】
2012504885.tif 000007
【国際調査報告】
2012504885.tif 000008
2012504885.tif 000009
2012504885.tif 000010
2012504885.tif 000011